(57)【要約】【課題】スイッチの節度等の操作感を他の要素を変えることなく変えることができるスライドスイッチ構造体及びそれを用いたパワーシートスイッチを提供する。【解決手段】本パワーシートスイッチ１は、構造体本体２１、２２、２３と、構造体本体内に設けられるスイッチ部３ａ〜３ｄと、構造体本体に摺動可能に設けられ且つスイッチ部の接点を切り換えるスライダ４ａ〜４ｄと、構造体本体に嵌合されている節度調節具５１及びスライダに設けられている弾性部５２を具備する節度部５ａ〜５ｄと、を備え、スライダは、軸部４１と、軸部の一端側に設けられる１組の脚部４２とを備え、弾性部は、軸部の一端側から軸部の軸方向に弾力的に突出するように設けられ、節度調節具は、脚部の間に挟まれるように配置され、弾性部と接し且つスライダの摺動に応じて節度を付与する節度溝を具備することを特徴とする。【選択図】図１
2010251028.tif 000002
【特許請求の範囲】
【請求項１】
構造体本体と、該構造体本体内に設けられるスイッチ部と、該構造体本体に摺動可能に設けられ且つ該スイッチ部の接点を切り換えるスライダと、該構造体本体に嵌合されている節度調節具及び該スライダに設けられている弾性部を具備する節度部と、を備え、
前記スライダは、軸部と、該軸部の一端側に設けられる１組の脚部とを備え、
前記弾性部は、前記軸部の該一端側から該軸部の軸方向に弾力的に突出するように設けられ、
前記節度調節具は、前記脚部の間に挟まれるように配置され、前記弾性部と接し且つ該スライダの摺動に応じて節度を付与する節度溝を具備することを特徴とするスライドスイッチ構造体。
【請求項２】
前記スライダは、前記脚部によって前記節度調節具を挟持し、且つ該節度調節具に沿って摺動する請求項１記載のスライドスイッチ構造体。
【請求項３】
前記スイッチ部は、モジュールケースと、該モジュールケースに摺動可能に設けられるモジュールシャフトと、該モジュールシャフトにより切り替わるモジュール接点とを備えるモジュールスイッチであり、
前記脚部は側面に前記モジュールシャフトの先端と嵌合する嵌合部が形成されている請求項２記載のスライドスイッチ構造体。
【請求項４】
前記節度調節具は、前記嵌合部の両端に前記スライダの摺動を制限する突起が形成されている請求項２又は３記載のスライドスイッチ構造体。
【請求項５】
請求項１乃至４のいずれか１項に記載の前記スライドスイッチ構造体を備え、
前記スイッチ部、前記スライダ及び前記節度部を複数組み備えることを特徴とするパワーシートスイッチ。
【請求項６】
各前記節度部の前記節度調節具は、前記構造体本体と嵌合する部位の形状が同一である請求項５記載のパワーシートスイッチ。
【発明の詳細な説明】
【技術分野】
【０００１】
本発明は、スライドスイッチ構造体に関する。更に、詳しくは、スイッチの節度等の操作感を他の要素を変えることなく容易に変えることができるスライドスイッチ構造体及びそれを用いたパワーシートスイッチに関する。本スライドスイッチ構造体は、自動車のパワーシートスイッチ及びライトスイッチ等のノブを用いるスライドスイッチ等に適用することができる。
【背景技術】
【０００２】
自動車のパワーシートスイッチ等に用いられるスライドスイッチは、特許文献１及び２等に示すように、スイッチを操作して接点が切り替わるときの感触である節度を得るための節度部を備えている。このような節度部は、スイッチのスライダに設けられているボールが、可動接点等に設けられている節度溝に沿って移動し、節度溝の谷部に落ちたりするときの刺激がノブに伝わって節度が得られる。
この節度調節機構は、スライドスイッチ構造体に組み込まれる汎用のスイッチモジュール内に組み込まれていたり、特許文献１及び２に示すように接点などを組み合わせて構成されるスライドスイッチ構造体内に組み込まれていたりする。また、特許文献３に示すようにケースに節度溝を設ける場合がある。
【先行技術文献】
【特許文献】
【０００３】
【特許文献１】特開２００３−７７３７０号公報
【特許文献２】特開２００８−９７９３５号公報
【特許文献３】特開９−１６１６０３号公報
【発明の概要】
【発明が解決しようとする課題】
【０００４】
また、自動車のパワーシートスイッチに用いられるスライドスイッチ構造体は、配設対象に応じて異なる節度等を必要とすることがある。
しかし、スイッチモジュールを用いたスライドスイッチ構造体は、スイッチモジュールの種類により節度が決まっているので、異なる節度を備えたスイッチモジュールを選定する必要がある。また、スイッチモジュールに必要とする節度を備えるものがあるとは限らない。
更に、特許文献１乃至３等に示すように独自の節度部を備えている場合であっても、節度溝が可動接点及びケース等と一体に形成されているため、節度を変えるときは可動接点等の機能が維持されるよう留意する必要があり、容易に変えることができなかった。
【０００５】
また、スライダのぐらつきの程度や摺動量等の操作感は、節度部と共に調節することが多いが、これらを調節するにはケース等に設けられた各種要素を調整する必要があり、多くの要素の設計に影響を与えていた。
本発明は、上記現状に鑑みてなされたものであり、節度等の操作感を他の要素に関わりなく高い自由度で設計することができるスライドスイッチ構造体及びそれを用いたパワーシートスイッチを提供することを目的とする。
【課題を解決するための手段】
【０００６】
本発明は、以下の通りである。
１．構造体本体と、該構造体本体内に設けられるスイッチ部と、該構造体本体に摺動可能に設けられ且つ該スイッチ部の接点を切り換えるスライダと、該構造体本体に嵌合されている節度調節具及び該スライダに設けられている弾性部を具備する節度部と、を備え、前記スライダは、軸部と、該軸部の一端側に設けられる１組の脚部とを備え、前記弾性部は、前記軸部の該一端側から該軸部の軸方向に弾力的に突出するように設けられ、前記節度調節具は、前記脚部の間に挟まれるように配置され、前記弾性部と接し且つ該スライダの摺動に応じて節度を付与する節度溝を具備することを特徴とするスライドスイッチ構造体。
２．前記スライダは、前記脚部によって前記節度調節具を挟持し、且つ該節度調節具に沿って摺動する上記１．記載のスライドスイッチ構造体。
３．前記スイッチ部は、モジュールケースと、該モジュールケースに摺動可能に設けられるモジュールシャフトと、該モジュールシャフトにより切り替わるモジュール接点とを備えるモジュールスイッチであり、前記脚部は側面に前記モジュールシャフトの先端と嵌合する嵌合部が形成されている上記２．記載のスライドスイッチ構造体。
４．前記節度調節具は、前記嵌合部の両端に前記スライダの摺動を制限する突起が形成されている上記２．又は上記３．記載のスライドスイッチ構造体。
５．上記１．乃至上記４．のいずれかに記載の前記スライドスイッチ構造体を備え、前記スイッチ部、前記スライダ及び前記節度部を複数組み備えることを特徴とするパワーシートスイッチ。
６．各前記節度部の前記節度調節具は、前記構造体本体と嵌合する部位の形状が同一である上記５．記載のパワーシートスイッチ。
【発明の効果】
【０００７】
本スライドスイッチ構造体によれば、構造体本体に嵌合されている節度調節具を、他の形状の節度溝を備える節度調節具に適宜変更することによって節度を調節することができる。つまり、節度調節具が、電気回路に関連する接点や、各要素を収納するケース等の他の機能を備えているわけではなく、節度という操作感に関する機能しか備えないので、これら他の機能に起因する設計の制限が生じず、節度のみを調節することを目的とした設計を容易に行うことができる。
また、節度調節具がスライダの脚部の間に挟まれるように配置されることによって、操作感の一種である、節度調節具の厚み方向に関するスライダのぐらつき程度を、脚部の間隔及び／又は節度調節具の厚みにより調節することができる。
【０００８】
また、スライダが脚部によって節度調節具を挟持し、且つ節度調節具に沿って摺動する場合は、挟持しない場合よりもスライダのぐらつきを減らすことができ、更に前記挟持の力を調節することによって操作感の一種であるスライダの前記挟持方向のぐらつきを調節することができる。これによって、同時に調節することが多い操作感である節度及びぐらつきを、一つの節度調節具で調節することができる。
更に、スイッチ部にモジュールスイッチを用い、脚部に嵌合部が形成されている場合は、スイッチモジュールを用いることによる接点の精度等を一定に維持しやすくすることができ、且つ、嵌合部によりスイッチモジュールのスイッチシャフトを確実に動かして接点を切り換えることができる。
また、節度調節具の嵌合部に突起が形成されている場合は、スライダの摺動量を節度調節具によって調節することができる。これによって、同時に調節することが多い操作感である節度、ぐらつき及び摺動量を、一つの節度調節具で調節することができる。
【０００９】
前記スライドスイッチ構造体を備えるパワーシートスイッチは、各スライダの操作感を各々の節度調節具により調節することができるため、異なる操作感である複数のパワーシートスイッチを容易に作製することができる。
また、各節度部の節度調節具において、構造体本体と嵌合する部位の形状が同一である場合は、同じ操作感が必要な箇所に同じ節度調節具を用いることができるため、操作感に合わせた節度調節具の数を最小限にすることができる。
【図面の簡単な説明】
【００１０】
【図１】本パワーシートスイッチ用のスライドスイッチ構造体の構成、及び各要素の位置関係を説明するための斜視図である。
【図２】本パワーシートスイッチ用のスライドスイッチ構造体の構成と各レバーの動きを説明するための斜視図である。
【図３】スライダを説明するための斜視図である。
【図４】スライダ及び弾性部を説明するための断面図である。
【図５】節度調節具を説明するための斜視図である。
【図６】ケース本体に節度調節具を嵌合した状態を説明するための斜視図である。
【図７】ケース本体に節度調節具を嵌合し、スライダを設けた状態を説明するための斜視図である。
【図８】スイッチ部、スライダ及び節度調節具を配設した状態を説明するための正面図である。
【図９】スイッチ部、スライダ及び節度調節具を配設した状態を説明するための正面からみた断面図である。
【図１０】スイッチ部、スライダ及び節度調節具を配設し、スライドノブを図における右方向にスライドさせた状態を説明するための正面からみた断面図である。
【図１１】スイッチ部、スライダ及び節度調節具を配設し、スライドノブを図における左方向にスライドさせた状態を説明するための正面からみた断面図である。
【発明を実施するための形態】
【００１１】
以下、図１〜１１を参照しながら本発明のスライドスイッチ構造体及びそれを用いたパワーシートスイッチを詳しく説明する。本スライドスイッチ構造体は、パワーシートスイッチ及びライトスイッチ等の任意の自動車の電装部品に用いることができるがこれに限られず、他の用途にも用いることができる。
上記「構造体本体」は、スイッチ部、節度調節具及びスライダ等を配設するためのケース、ハウジング及び基板等である。
上記「スイッチ部」は、後述するスライダの摺動によって接点が切り替わるスイッチであればよく、既存のスライドスイッチモジュールを使用してもよいし、固定接点及び可動接点等を組み合わせた独自のものであってもよい。
【００１２】
上記「スライダ」は図３及び４に例示するように、軸部４１と、軸部４１の一端側に設けられる１組の脚部４２を備える。尚、軸部の一端側には後述する弾性部５２が設けられる。
２つの脚部の間隔は、節度調節具の厚みと同じかより長く設けられており図４に例示するように、節度調節具５１が脚部４２の間に挟まれるように配置される。このとき、脚部４２の間隔、及び節度調節具５１の厚みの片方又は両方を調節して、脚部４２と節度調節具５１との間の隙間を調節することによって、操作感の一種である、節度調節具の厚み方向に関するスライダのぐらつき程度を、調節することができる。このような調節が必要な理由は、ぐらつきが少なすぎると操作に関する遊びがなくなるため操作がしにくかったり誤操作したりするし、ぐらつきが多すぎると操作に不安感をもたらすことがあるが、利用対象によって最適となる範囲が異なるからである。
また、図９のスライダ４ａ及び節度調節具５１ａに示すように、前記脚部４２と節度調節具５１ａとの間の隙間をなくし、１組の脚部４２によって節度調節具５１ａを挟持することができる。このとき、節度調節具５１ａを挟持しない場合よりもスライダ４ａのぐらつきを減らすことができ、更に節度調節具５１ａを挟持する脚部４２の弾性を調節することによってスライダ４ａの挟持方向のぐらつきを調節することができる。
更に、脚部には図３及び８に例示するように、側面、即ちスライダ４ａ〜４ｄの摺動方向に対して平行な面に後述するモジュールシャフト３２の先端と嵌合する嵌合部４２１を設けることができる。このような嵌合部４２１は、スライダ４ａ〜４ｄの摺動に伴って移動するため、モジュールシャフト３２を摺動方向に動かしてスイッチ部３ａ〜３ｄの接点を切り換えることができる。尚、嵌合部の形状は特に問わず、図３に例示する挟持構造や、モジュールシャフト３２を挿入可能な孔等を例示することができる。
【００１３】
上記「節度部」は、構造体本体に嵌合される節度調節具と、スライダに設けられる弾性部とを具備し、スライダ摺動に応じた節度を得るためのものである。
上記「弾性部」は、軸部の一端側から軸部の軸方向に弾力的に突出するように設けられる。弾性部は、スライダの摺動時に節度調節具の摺動溝に常に接触されるように弾性を備えていればよく、例えば、ボール等の摺動溝に押しつける部材とスプリング等の弾性部材を備えたものとすることができる。
上記「節度調節具」は節度溝を備え、スライダの脚部の間に位置するように構造体本体に嵌合される。また、節度調節具は構造体本体に嵌合によって配設されるに限られず、ネジ止め及び打ち込まれて固定等の任意の配設方法を用いることができる。
上記「節度溝」は、溝の起伏により弾性部を上下させ、節度を与えるための溝である。更に、節度調節具は、スライダの脚部と当接することによって、スライダの過剰な摺動を防止するための突起を設けることができる。
【００１４】
このようなスライドスイッチ構造体の具体例を図１〜１１に基づいて説明する。
本スライドスイッチ構造体１は、自動車のシートを電動で操作するためのパワーシートスイッチであり、図１及び２に示すように、ケース本体２１、上面ケース２２及び基板２３からなる構造体本体と、基板２３上に設けられたスイッチ部３ａ〜３ｄと、スライダ４ａ〜４ｄと、節度部５ａ〜５ｄと、スライドノブ６１及びリクライニングノブ６２と、基板２３に設けられ且つスイッチ部３の接点に接続されるコネクタ７と、を備える。また、スイッチ部３ａ〜３ｄ、スライダ４〜４ｄ及び節度部５〜５ｄは、図１及び８に示すように４つの組として具備する。これら４組のうち３組のスライダ４には１つのスライドノブ６１が取り付けられており、残りの１組のスライダ４にはリクライニングノブ６２が取り付けられている。
【００１５】
ケース本体２１及び上面ケース２２は樹脂製である。ケース本体２１は、図７及び９に示すように基板２３、スライダ４ａ〜４ｄの脚部４２、節度部５ａ〜５ｄ及びコネクタ７等を収容する。また、上面ケース２２は、ケース本体２１の上面を覆うように嵌合固定され、スライダ４ａ〜４ｄの軸部４１を挿通させる穴と、各ノブ６１、６２の動きを案内するための軸２２１、２２２が設けられている。更に、基板２３は、スイッチ部３ａ〜３ｄ及びコネクタ７が配設されており、且つこれらの電気的接続を行う。
各スイッチ部３ａ〜３ｄは既存のスイッチモジュールであり、モジュールケース３１と、モジュールケース３１内に設けられている固定及び可動の接点（図示せず）と、該可動接点を動かすためのモジュールシャフト３２とを備える。尚、このスイッチモジュールは例えばスライドスイッチを例示するがこれに限られず、他の接点構造を備えるスイッチであってもよい。
【００１６】
各スライダ４ａ〜４ｄは図１、３及び４に示すように、軸部４１と、軸部４１の一端側である底部に設けられ、且つケース本体２１の上部に設けられている取付孔２１１に挿入される２つ１組の脚部４２とを備える。
軸部４１は、頭部に各ノブ６１、６２が設けられ、その動きを脚部４２に伝達する。脚部４２は、後述する節度調節具５１を挟持し、スライダが摺動するときの方向のガイドとして機能する。また、脚部４２の側面にはモジュールシャフト３２の頭部と嵌合し、スライダ４の摺動に応じてモジュールシャフト３２を動かすための嵌合部４２１が形成されている。更に、図４に示すように、軸部４１の一端側である底部であって、軸部４１の軸線上にあたる位置に有底孔４３が形成されており、後述する弾性部５２のスプリング５２２が設けられている。
【００１７】
各節度部５ａ〜５ｄは図５及び６に示すように、ケース本体２１の各取付孔２１１に嵌合されている同一形状の節度調節具５１と、図４に示すように軸部４１の一端側である底部に設けられている弾性部５２を備える。
節度調節具５１は、図５に示すように、樹脂製の略平板状体であり、天井面に形成され起伏がある節度溝５１１と、その節度溝５１１の両端から突出するように形成されている突起５１２と、正面及び背面であり平坦な摺動面５１４を備える。
節度溝５１１は図９〜１１に示すように、その起伏のある面上を弾性部５２が摺動することにより節度を与えることができる。また、図５及び９に示すように、節度溝５１１の中央が最も深い谷となっており、弾性部５２のスプリング５２２の弾力によってスライダ４が常に中央部に移動するよう誘導する。突起５１２は、図８、１０及び１１に示すように、摺動する脚部４２が当接して停止できる程度の大きさを備え、スライダ４が突起５１２を越えて移動するような過剰に摺動することを防止する。更に、突起５１２は図６に示すように、取付孔２１１に嵌合して、節度調節具５１をケース本体２１に固定することができる。
また、節度調節具５１、５１ａ〜５１ｄは図７及び９に示すように、スライダ４の各脚部４２の間に位置し、各脚部４２がそれぞれ各摺動面５１４に接するように挟持されている。このため、スライダ４は図９〜１１に示すように、節度溝５１１の長手方向（図１０の矢印８２１及び図１１の矢印８２２を参照。）に摺動することができる。
【００１８】
弾性部５２は図１及び４に示すように、節度溝５１１と接触するボール５２１と、軸部４１の有底孔４３に一端側が挿入され、他端側がボール５２１を節度溝５１１に向けて押圧するスプリング５２２とを備える。
コネクタ７は、各端子が各スイッチ部３ａ〜３ｄの接点と接続されており、ワイヤハーネス等によってＥＣＵ等に接続される。
【００１９】
このような、パワーシートスイッチであるスライドスイッチ構造体は、図２に示すようにスライドノブ６１のスライダ４ａ側（図２における右側）を矢印８１の方向に捻ることによって、スライダ４ａが摺動してスイッチ部３ａの接点が切り替わり、座面の前方側の高さを調節することができる。
また、スライドノブ６１の長手方向、即ち図２に示す矢印８２方向に移動させることによってスライダ４ｂが摺動してスイッチ部３ｂの接点が切り替わり、シート全体を前後に移動させることができる。
更に、スライドノブ６１のスライダ４ｃ側（図２における左側）を矢印８３の方向に捻ることによって、スライダ４ｃが摺動してスイッチ部３ｃの接点が切り替わり、座面全体の高さを変えることができる。
また、リクライニングノブ６２を図２における左右、即ち矢印８４方向に捻ることによって、スライダ４ｄが摺動してスイッチ部３ｄの接点が切り替わり、背もたれの角度を調節することができる。
【００２０】
更に詳しくは、図８〜１１に示すようにスライドノブ６１の操作によって、例えば、スライダ４ｂを方向８２に動かしたとき、スライダ４ｂは対応する節度調節具５１の節度溝５１１の長手方向に摺動し、脚部４２の嵌合部４２１によりモジュールシャフト３２を動かしてスイッチ部３ｂの接点を切り換える。また、弾性部５２のボール５２１が節度溝５１１の起伏に沿って上下に動き、節度溝５１１の谷部に落ちたりするときの刺激がノブ６１に伝わって節度が得ることができる。
更に、スライダ４の脚部４２が節度調節具５１を挟持しているため、厚み方向の軸部４１のぐらつき程度を一定に保つことができる。また、脚部４２が突起５１２に当接することでスライダ４の移動を制限する。
尚、ノブ６１、６２によってスライダ４ａ、４ｃ及び４ｄが動いたときであっても前記スライダ４ｂと同様に節度やぐらつき等の操作感を得ることができる。
【００２１】
前記の通り、本パワーシートスイッチ１は、節度調節具５１によって節度、スライダのぐらつき、及びスライダの摺動量という３つの操作感を一括して設定することができる。また、節度調節具５１がケース本体２１に嵌合固定されているため、節度調節具５１のみを異なる操作感の節度調節具に変えることによって、他のスイッチ部３ａ〜３ｄ及びスライダ４ａ〜４ｄ等の設計に影響を与えることなく操作感を変えることができる。
更に、スイッチ部３として既存のスイッチモジュールを用いることによって接点の品質を一定に保つことができる。
【００２２】
尚、本発明においては、上記実施例に限られず、目的、用途に応じて本発明の範囲内で種々変更した実施例とすることができる。即ち、本スライドスイッチ構造体はパワーシートスイッチに限られず、ライトスイッチ等の電装部品に用いることができる。また、スイッチ部３、スライダ４、及び節度部５は全て同じ形状としたが、異なる形状であってもよい。特に節度部５の節度調節具５１の節度溝５１１をそれぞれ異なる起伏形状とすることによって、各操作に対して異なる節度を得ることができる。また、節度調節具５１の厚みを変えることによって各操作に応じたぐらつきを得ることができる。更に、節度調節具５１の突起５１２の位置を変えることにより、各操作に適している摺動量を得ることができる。
【符号の説明】
【００２３】
１；スライドスイッチ構造体（パワーシートスイッチ）、２１；ケース本体、２１１；取付孔、２２；上面ケース、２３；基板、
３、３ａ〜３ｄ；スイッチ部、３１；モジュールケース、３２；モジュールシャフト、
４、４ａ〜４ｄ；スライダ、４１；軸部、４２；脚部、４２１；嵌合部、
５、５ａ〜５ｄ；節度部、５１；節度調節具、５１１；節度溝、５１２；突起、５１４；摺動面、５２；弾性部、５２１；ボール、５２２；スプリング、
６１；スライドノブ、６２；リクライニングノブ、７；コネクタ。
【図１】
2010251028.tif 000003
【図２】
2010251028.tif 000004
【図３】
2010251028.tif 000005
【図４】
2010251028.tif 000006
【図５】
2010251028.tif 000007
【図６】
2010251028.tif 000008
【図７】
2010251028.tif 000009
【図８】
2010251028.tif 000010
【図９】
2010251028.tif 000011
【図１０】
2010251028.tif 000012
【図１１】
2010251028.tif 000013